(57)【特許請求の範囲】
【請求項１】
建造物内に設置される複数の照明装置を制御するための照明制御システムであって、
前記複数の照明装置各々に設けられた主光源と；
前記複数の照明装置各々に設けられ、前記主光源とは異なる複数の色の照明光を発生することが可能な補助光源と；
前記複数の照明装置各々に接続され、前記建造物における災害の発生の有無を特定可能な信号が外部から入力された際に、当該入力された信号に基づいて前記複数の照明装置の照明状態を制御するための照明制御信号を生成する照明制御部と；
前記複数の照明装置各々に設けられ、前記照明制御部により生成された前記照明制御信号が入力される信号入力部と；
前記複数の照明装置各々に設けられ、前記建造物で災害が発生した際に、前記信号入力部を介して入力される前記照明制御信号に基づき、前記複数の色の照明光のうちの少なくとも１つの色の照明光を前記補助光源から発生させるための制御を行う光源制御部と；
を有し、
前記建造物内における前記複数の照明装置の設置数が、前記建造物内における非常灯の設置数、及び、前記建造物内における誘導灯の設置数よりも多い
ことを特徴とする照明制御システム。
【請求項２】
前記光源制御部は、前記信号入力部を介して入力される前記照明制御信号に基づき、前記建造物における災害の発生に伴って発生した煙または熱の検知量に応じて前記補助光源から発生させる照明光の色を変化させる
ことを特徴とする請求項１に記載の照明制御システム。
【請求項３】
前記主光源及び前記補助光源を動作させるための電力が予め蓄積されたバッテリをさら
に有し、
前記光源制御部は、前記建造物における災害の発生に伴って商用電源からの電力供給が停止していることを検知した際に、前記バッテリからの電力供給を開始させる
ことを特徴とする請求項１に記載の照明制御システム。
【請求項４】
前記光源制御部は、前記バッテリからの電力供給を開始させた際に、前記主光源を所定値以下の光量で発光させる
ことを特徴とする請求項３に記載の照明制御システム。
【発明の詳細な説明】
【技術分野】
【０００１】
本発明の実施形態は、照明制御システムに関する。
【背景技術】
【０００２】
従来、災害発生時における誘導灯等の照明器具の点灯状態を制御するための技術が知られている。
【０００３】
例えば、特許文献１には、防災用のランプと、二次電池等の非常用電源と、常時は商用電源からの電力供給にてランプを点灯させ、商用電源からの電力供給が遮断された非常時には非常用電源からランプを点灯させることのできる交直兼用点灯装置と、外部から監視・制御を行うための送受信部と、点検スイッチと、を具備する防災照明装置の動作の監視・制御を一括して行う防災用の照明制御システムが開示されている。
【０００４】
また、例えば、特許文献２には、建物内に設置されて避難時に避難誘導方向へ人を誘導する避難誘導システムであって、足下対応位置へ一方色彩を有した光を照射する一方半導体光源及び一方色彩と異なる他方色彩を有した光を照射する他方半導体光源が実装基板に並設された複数の避難誘導灯と、少なくとも火災を検知して異常検知信号を出力するセンサ部と、通常時に前記建物の通路部に並設された各避難誘導灯の一方半導体光源を点灯制御するとともに、避難誘導時に他方半導体光源を異常検知信号に基づいて前記避難誘導方向へ向かって順次移動点滅するよう点滅制御する制御部と、を備えたものが開示されている。
【先行技術文献】
【特許文献】
【０００５】
【特許文献１】日本国特開平８−１８０９８０号公報
【特許文献２】日本国特開２０００−１３３０１９号公報
【発明の概要】
【発明が解決しようとする課題】
【０００６】
実施形態は、建造物内で災害が発生した際の安全な避難路を被災者に対して知らせることが可能な照明制御システムを提供する。
【課題を解決するための手段】
【０００８】
実施形態の照明制御システムは、建造物内に設置される複数の照明装置を制御するための照明制御システムであって、前記複数の照明装置各々に設けられた主光源と；前記複数の照明装置各々に設けられ、前記主光源とは異なる複数の色の照明光を発生することが可能な補助光源と；前記複数の照明装置各々に接続され、前記建造物における災害の発生の有無を特定可能な信号が外部から入力された際に、当該入力された信号に基づいて前記複数の照明装置の照明状態を制御するための照明制御信号を生成する照明制御部と；前記複数の照明装置各々に設けられ、前記照明制御部により生成された前記照明制御信号が入力される信号入力部と；前記複数の照明装置各々に設けられ、前記建造物で災害が発生した際に、前記信号入力部を介して入力される前記照明制御信号に基づき、前記複数の色の照明光のうちの少なくとも１つの色の照明光を前記補助光源から発生させるための制御を行う光源制御部と；を有し、前記建造物内における前記複数の照明装置の設置数が、前記建造物内における非常灯の設置数、及び、前記建造物内における誘導灯の設置数よりも多い。
【発明の効果】
【０００９】
実施形態の照明制御システムによれば、建造物内で災害が発生した際の安全な避難路を被災者に対して知らせることが期待できる。
【図面の簡単な説明】
【００１０】
【図１】実施形態に係る照明制御システムの構成の一例を説明するための図。
【図２】実施形態に係る照明装置の外観構成の一例を示す斜視図。
【図３】実施形態に係る照明装置の内部構成の一例を示す断面図。
【図４】実施形態に係る照明装置の構成の一例を説明するためのブロック図。
【図５】実施形態に係るエリアコントローラの動作の一例を説明するためのフローチャート。
【図６】実施形態に係る照明装置の動作の一例を説明するためのフローチャート。
【図７】実施形態に係る照明装置が設置されたフロアの一例を示す模式図。
【図８】図７に示すフロアにおいて火災が発生した場合における各照明装置の照明状態の一例を示す模式図。
【発明を実施するための形態】
【００１１】
以下、図面を参照して実施形態を説明する。
【００１２】
照明制御システム１０１は、例えば、図１に示すように、コンソール１と、通信線ＣＡを介してコンソール１に接続される複数のエリアコントローラ２と、通信線ＣＡを介してコンソール１に接続される防災システム３と、を具備して構成されている。図１は、実施形態に係る照明制御システムの構成の一例を説明するための図である。
【００１３】
コンソール１は、例えば、コンピュータ等を具備して構成されている。また、コンソール１は、操作指示部１１と、記憶部１２と、制御部１３と、表示部１４と、を有して構成されている。
【００１４】
操作指示部１１は、例えば、キーボード及びマウス等のユーザーインターフェースを具備し、建造物の管理者等のユーザの入力操作に応じた指示を制御部１３に対して行うことができるように構成されている。
【００１５】
記憶部１２は、例えば、ハードディスクドライブまたはソリッドステートドライブ等の記憶装置を具備して構成されている。また、記憶部１２には、例えば、通信線ＣＣを介してエリアコントローラ２に接続される各照明装置２１の設置位置、及び、通信線ＣＤを介して防災システム３に接続される各誘導灯３２及び各煙感知器３３の設置位置をそれぞれ特定可能なマップ情報が格納されている。
【００１６】
制御部１３は、例えば、ＣＰＵ等を具備し、操作指示部１１の指示に応じた制御及び／または動作を行うことができるように構成されている。また、制御部１３は、通信線ＣＡを介してコンソール１に入力される煙検知情報（後述）に基づき、照明制御システム１０１が設置されている建造物内で火災が発生しているか否かを判定して判定結果を得るとともに、当該得られた判定結果に応じたシステム制御信号を生成して出力するように構成されている。また、制御部１３は、操作指示部１１の入力操作に応じた指示信号を生成して出力することができるように構成されている。
【００１７】
表示部１４は、例えば、モニタ等を具備し、操作指示部１１を操作するユーザに提示する画像及び／または情報を表示することができるように構成されている。
【００１８】
エリアコントローラ２は、通信線ＣＣを介して複数の照明装置２１及び人感センサ２２に接続されている。また、エリアコントローラ２は、通信線ＣＣを介して入力される人検知信号に基づき、人感センサ２２の検知範囲内における人の存在の有無を判定することができるように構成されている。また、エリアコントローラ２は、照明制御部としての機能を具備し、通信線ＣＡを介して入力されるシステム制御信号に基づき、通信線ＣＣを介して接続される各照明装置２１の発光モジュール４１及び４２（後述）の照明状態を、通常モードの照明状態または非常モードの照明状態に制御するための照明制御信号を生成して出力するように構成されている。また、エリアコントローラ２は、操作指示部１１の入力操作に応じてコンソール１から出力される指示信号、及び／または、建造物内の壁面に設けられた壁スイッチ等の操作に応じて出力される指示信号に基づき、通常モードにおける各照明装置２１の照明状態を制御することができるように構成されている。なお、本実施形態においては、建造物内における照明装置２１の設置数が、防災システム３に接続されている非常灯３１及び誘導灯３２の設置数よりも多いものとする。
【００１９】
照明装置２１は、例えば、図２及び図３に示すように、建造物内部の天井面に取り付け可能な四角形箱状の筐体２１ａを具備して構成されている。また、照明装置２１は、例えば、図２に示すように、透光性及び光拡散性を有する材料を用いて形成され、筐体２１ａの開口を覆うように設けられているとともに、筐体２１ａの外縁部から中心部へ向かって窪むように湾曲された拡散カバー２１ｂを具備して構成されている。図２は、実施形態に係る照明装置の外観構成の一例を示す斜視図である。図３は、実施形態に係る照明装置の内部構成の一例を示す断面図である。
【００２０】
筐体２１ａの内部の側面には、例えば、図３に示すように、拡散カバー２１ｂの左端部及び右端部に対して照明光を照射するように配置された主光源である２つの発光モジュール４１が設けられている。また、筐体２１ａの内部の底面には、例えば、図３に示すように、拡散カバー２１ｂの中央部に対して照明光を照射するように配置された補助光源である発光モジュール４２が設けられている。
【００２１】
発光モジュール４１は、白色光（以降、Ｗ光とも称する）を発するＬＥＤである発光素子４１ａ及び４１ｂを具備して構成されている。
【００２２】
発光モジュール４１は、筐体２１ａの内部の左側面及び右側面からそれぞれ延設された基板４３ａ及び４３ｂに表面実装されているとともに、拡散カバー２１ｂの左端部及び右端部に対してＷ光を照射可能な位置に配置されている。
【００２３】
発光素子４１ａ及び４１ｂは、それぞれ異なる色温度の白色光を照射可能に構成されている。
【００２４】
すなわち、発光モジュール４１は、発光素子４１ａ及び４１ｂの出力の組み合わせに応じた種々の色温度の白色光を照明光として拡散カバー２１ｂの左端部及び右端部に対して照射することができるように構成されている。
【００２５】
発光モジュール４２は、例えば、赤色光（以降、Ｒ光とも称する）を発するＬＥＤである発光素子４２ａと、緑色光（以降、Ｇ光とも称する）を発するＬＥＤである発光素子４２ｂと、青色光（以降、Ｂ光とも称する）を発するＬＥＤである発光素子４２ｃと、を具備して構成されている。
【００２６】
発光素子４２ａは、筐体２１ａの内部の底面に沿って設けられた基板４４に表面実装されているとともに、拡散カバー２１ｂの中央部に対してＲ光を照射可能な位置に配置されている。
【００２７】
発光素子４２ｂは、発光素子４２ａと同一の基板４４に表面実装されているとともに、拡散カバー２１ｂの中央部に対してＧ光を照射可能な位置に配置されている。
【００２８】
発光素子４２ｃは、発光素子４２ａ及び４２ｂと同一の基板４４に表面実装されているとともに、拡散カバー２１ｂの中央部に対してＢ光を照射可能な位置に配置されている。
【００２９】
すなわち、発光モジュール４２は、Ｒ光、Ｇ光及びＢ光の組み合わせに応じた種々の色の光を照明光として拡散カバー２１ｂの中央部に対して照射することができるように構成されている。具体的には、発光モジュール４２は、例えば、Ｒ光及びＧ光を混合して黄色光（以降、Ｙ光とも称する）を生成し、当該生成した黄色光を拡散カバー２１ｂの中央部に対して照射することができる。そして、このような構成によれば、ユーザが照明装置２１の拡散カバー２１ｂを見たときの印象を変化させることができる。すなわち、発光モジュール４１は、主に被照射面の照度を確保するために用いられる。また、発光モジュール４２は、照明装置２１による演出効果を実現するために使用される。
【００３０】
照明装置２１は、例えば、図４に示すように、発光素子４１ａを駆動させるための駆動信号を生成して出力する駆動回路５１ａと、発光素子４１ｂを駆動させるための駆動信号を生成して出力する駆動回路５１ｂと、発光素子４２ａを駆動させるための駆動信号を生成して出力する駆動回路５２ａと、発光素子４２ｂを駆動させるための駆動信号を生成して出力する駆動回路５２ｂと、発光素子４２ｃを駆動させるための駆動信号を生成して出力する駆動回路５２ｃと、信号入力部５３と、バッテリ５４と、光源制御部５５と、を有して構成されている。また、照明装置２１の各部は、商用電源ＣＰＳまたはバッテリ５４から供給される電力により動作するように構成されている。図４は、実施形態に係る照明装置の構成の一例を説明するためのブロック図である。
【００３１】
信号入力部５３は、例えば、通信線ＣＣを介して入力される照明制御信号等の入力信号を光源制御部５５へ出力することが可能な入力回路として構成されている。すなわち、信号入力部５３には、照明装置２１が設けられた建造物における災害の発生の有無に応じ、２つの発光モジュール４１及び発光モジュール４２の照明状態を照明装置２１の外部から制御するための制御信号が入力される。なお、本実施形態においては、例えば、建造物内の壁面に設けられた壁スイッチの操作に応じて出力される指示信号が入力信号として信号入力部５３に入力されるようにしてもよい。
【００３２】
バッテリ５４は、例えば、照明装置２１の各部の動作に要する電力を蓄積可能な二次電池として構成されている。すなわち、バッテリ５４には、２つの発光モジュール４１及び発光モジュール４２を動作させるための電力が予め蓄積されている。また、バッテリ５４は、光源制御部５５の制御に応じ、予め蓄積されている電力を照明装置２１の各部へ供給することができるように構成されている。
【００３３】
光源制御部５５は、信号入力部５３を介して入力される照明制御信号に基づき、発光素子４１ａ、４１ｂ及び４２ａ〜４２ｃの発光状態を制御するための発光制御信号を生成して駆動回路５１ａ、５１ｂ、５２ａ、５２ｂ及び５２ｃへそれぞれ出力するように構成されている。また、光源制御部５５は、２つの発光モジュール４１及び発光モジュール４２の照明状態を非常モードの照明状態に制御するための照明制御信号が信号入力部５３を介して入力された場合に、商用電源ＣＰＳからの電力供給が停止しているか否かを判定して得られる判定結果に基づき、バッテリ５４からの電力供給を開始させるように構成されている。
【００３４】
人感センサ２２は、例えば、赤外線センサ等を具備し、所定の検知範囲内における人の存在の有無を検知し、当該検知した結果を示す人検知信号を生成し、当該生成した人検知信号を通信線ＣＣへ出力することができるように構成されている。
【００３５】
一方、防災システム３は、例えば、各エリアコントローラ２と同一の建造物内に設置されているとともに、コンピュータ等の制御装置を具備して構成されている。また、防災システム３は、通信線ＣＤを介し、１つ以上の非常灯３１、１つ以上の誘導灯３２、１つ以上の煙感知器３３、及び、１つ以上の火災報知機３４にそれぞれ接続されている。また、防災システム３は、通信線ＣＤを介して非常灯３１及び誘導灯３２の点灯状態を制御することができるように構成されている。また、防災システム３は、通信線ＣＤを介して入力される煙検知信号に基づき、各煙感知器３３において検知された煙量を取得するように構成されている。また、防災システム３は、閾値ＴＨＢを超える煙量を検知した煙感知器３３が１つ以上存在することを確認した場合に、各非常灯３１を点灯させるとともに、各火災報知器３４を鳴動させるための制御を行うように構成されている。また、防災システム３は、通信線ＣＤを介して入力される煙検知信号に基づき、各煙感知器３３において検知された煙量を取得するとともに、当該取得した煙量を煙感知器３３毎に特定可能な情報である煙検知情報を通信線ＣＡへ出力するように構成されている。
【００３６】
煙感知器３３は、例えば、所定の検知範囲内において発生した煙量を検知し、当該検知した結果を示す煙検知信号を生成し、当該生成した煙検知信号を通信線ＣＤへ出力することができるように構成されている。
【００３７】
すなわち、以上に述べたような防災システム３の構成によれば、制御部１３は、通信線ＣＡを介してコンソール１に入力される煙検知情報に基づき、例えば、閾値ＴＨＢを超える煙量を検知した煙感知器３３が存在しないことを確認した場合に、照明制御システム１０１が設置されている建造物内で火災が発生していないとの判定結果を得るとともに、各照明装置２１を通常モードで動作させるためのシステム制御信号を生成して出力することができる。
【００３８】
また、以上に述べたような防災システム３の構成によれば、制御部１３は、通信線ＣＡを介してコンソール１に入力される煙検知情報に基づき、例えば、閾値ＴＨＢを超える煙量を検知した煙感知器３３が１つ以上存在することを確認した場合に、照明制御システム１０１が設置されている建造物内で火災が発生しているとの判定結果を得るとともに、各照明装置２１を非常モードで動作させるためのシステム制御信号を生成して出力することができる。さらに、制御部１３は、照明制御システム１０１が設置されている建造物内で火災が発生しているとの判定結果を得た際に、記憶部１２から読み込んだマップ情報に基づいて特定される照明装置２１、誘導灯３２及び煙感知器３３の設置位置に応じ、コンソール１に入力された煙検知情報をエリアコントローラ２毎に振り分けたものをシステム制御信号に含めて出力することができる。
【００３９】
続いて、本実施形態の作用について、図５及び図６のフローチャートを適宜参照しつつ説明する。図５は、実施形態に係るエリアコントローラの動作の一例を説明するためのフローチャートである。図６は、実施形態に係る照明装置の動作の一例を説明するためのフローチャートである。
【００４０】
エリアコントローラ２は、通信線ＣＡを介して入力されるシステム制御信号に基づき、通信線ＣＣを介して接続される各照明装置２１を非常モードで動作させるか否かを判定する（図５のステップＳ１）。
【００４１】
そして、エリアコントローラ２は、各照明装置２１を非常モードで動作させるためのシステム制御信号が入力された際に（Ｓ１：Ｙｅｓ）、当該システム制御信号に含まれる煙検知情報に基づき、通信線ＣＣを介して接続される各照明装置２１の発光モジュール４１及び４２の照明状態を非常モードの照明状態に制御するための照明制御信号を生成して出力する（図５のステップＳ２）。
【００４２】
具体的には、エリアコントローラ２は、各照明装置２１を非常モードで動作させるためのシステム制御信号が入力された際に、例えば、０以上かつ閾値ＴＨＡ（＜ＴＨＢ）以下の煙量を検知した煙感知器３３の設置位置に対応する照明装置２１からＷ光及びＢ光を発生させ、閾値ＴＨＡより大きくかつ閾値ＴＨＢ以下の煙量を検知した煙感知器３３の設置位置に対応する照明装置２１からＷ光及びＧ光を発生させ、閾値ＴＨＢより大きな煙量を検知した煙感知器３３の設置位置に対応する照明装置２１からＷ光及びＲ光を発生させるような照明制御信号を生成して出力する。
【００４３】
また、エリアコントローラ２は、各照明装置２１を通常モードで動作させるためのシステム制御信号が入力された際に（Ｓ１：Ｎｏ）、ユーザの指示に基づき、通信線ＣＣを介して接続される各照明装置２１の発光モジュール４１及び４２の照明状態を通常モードの照明状態に制御するための照明制御信号を生成して出力する（図５のステップＳ３）。
【００４４】
具体的には、エリアコントローラ２は、各照明装置２１を通常モードで動作させるためのシステム制御信号が入力された際に、例えば、ユーザによる操作指示部１１または壁スイッチの操作に応じて入力される指示信号に基づき、通信線ＣＣを介して接続される各照明装置２１から発生させるＷ光の光量を制御するような照明制御信号を生成して出力する。
【００４５】
なお、エリアコントローラ２は、各照明装置２１を通常モードで動作させるためのシステム制御信号が入力された際に、ユーザの指示に基づき、Ｗ光の光量を制御しつつ、Ｒ光、Ｇ光及びＢ光のうちの少なくとも１つの色の光の光量を同時に制御することにより、通信線ＣＣを介して接続される各照明装置２１の演出効果をもたせるようにしてもよい。また、エリアコントローラ２は、各照明装置２１を通常モードで動作させるためのシステム制御信号が入力された際に、例えば、人感センサ２２の検知範囲内における人の存在の有無に係る判定結果に応じ、通信線ＣＣを介して接続される各照明装置２１から発生させるＷ光の光量を制御するものであってもよい。
【００４６】
一方、照明装置２１の光源制御部５５は、通信線ＣＣ及び信号入力部５３を介して入力される照明制御信号に基づき、各発光素子を非常モードで発光させるか否かを判定する（図６のステップＳ１１）。
【００４７】
そして、光源制御部５５は、発光モジュール４１及び４２の照明状態を非常モードの照明状態に制御するための照明制御信号が入力された際に（Ｓ１１：Ｙｅｓ）、後述の図６のステップＳ１２の動作を行う。また、光源制御部５５は、発光モジュール４１及び４２の照明状態を通常モードの照明状態に制御するための照明制御信号が入力された際に（Ｓ１１：Ｎｏ）、後述の図６のステップＳ１４の動作を行う。
【００４８】
光源制御部５５は、商用電源ＣＰＳからの電力供給が停止しているか否かを判定する（図６のステップＳ１２）。
【００４９】
そして、光源制御部５５は、商用電源ＣＰＳからの電力供給が停止しているとの判定結果を得た際に（Ｓ１２：Ｙｅｓ）、バッテリ５４から照明装置２１の各部への電力供給を開始させた（図６のステップＳ１３）後、後述の図６のステップＳ１４の動作を行う。また、光源制御部５５は、商用電源ＣＰＳからの電力供給が停止していないとの判定結果を得た際に（Ｓ１２：Ｎｏ）、後述の図６のステップＳ１４の動作を行う。
【００５０】
光源制御部５５は、通信線ＣＣ及び信号入力部５３を介して入力される照明制御信号に基づき、発光素子４１ａ、４１ｂ及び４２ａ〜４２ｃの発光状態を制御するための発光制御信号を生成して駆動回路５１ａ、５１ｂ、５２ａ、５２ｂ及び５２ｃへそれぞれ出力する（図６のステップＳ１４）。
【００５１】
具体的には、光源制御部５５は、例えば、発光モジュール４１及び４２の照明状態を非常モードの照明状態に制御するための照明制御信号が入力され、かつ、図６のステップＳ１２において商用電源ＣＰＳからの電力供給が停止していないとの判定結果を得た場合には、発光素子４１ａ及び４１ｂと、発光素子４２ａ〜４２ｃのうちのいずれか１つの発光素子と、を同時に発光させるための発光制御信号を生成して出力する。また、光源制御部５５は、例えば、発光モジュール４１及び４２の照明状態を非常モードの照明状態に制御するための照明制御信号が入力され、かつ、図６のステップＳ１３によりバッテリ５４からの電力供給を開始させた場合には、発光素子４１ａ及び４１ｂを所定値以下の光量で発光させつつ、発光素子４２ａ〜４２ｃのうちのいずれか１つの発光素子を発光させるための発光制御信号を生成して出力する。また、光源制御部５５は、例えば、発光モジュール４１及び４２の照明状態を通常モードの照明状態に制御するための照明制御信号が入力された場合には、発光素子４１ａ及び４１ｂを発光させるための発光制御信号を生成して出力する。
【００５２】
すなわち、光源制御部５５は、非常モード時に、例えば、照明装置２１の最寄りに設置された煙感知器３３で０以上かつ閾値ＴＨＡ以下の煙量が検知された場合には、発光素子４１ａ、４１ｂ及び４２ｃを同時に発光させるための発光制御信号を生成して出力する。また、光源制御部５５は、非常モード時に、例えば、照明装置２１の最寄りに設置された煙感知器３３で閾値ＴＨＡより大きくかつ閾値ＴＨＢ以下の煙量が検知された場合には、発光素子４１ａ、４１ｂ及び４２ｂを同時に発光させるための発光制御信号を生成して出力する。また、光源制御部５５は、非常モード時に、例えば、照明装置２１の最寄りの煙感知器３３で閾値ＴＨＢより大きな煙量が検知された場合には、発光素子４１ａ、４１ｂ及び４２ａを同時に発光させるための発光制御信号を生成して出力する。
【００５３】
なお、光源制御部５５は、図６のステップＳ１４において、発光素子４１ａ及び４１ｂを所定値以下の光量で発光させる際に、例えば、発光素子４１ａ及び４１ｂの最大光量の３０％以下で発光させるような制御を行ってもよく、または、発光素子４１ａ及び４１ｂをそれぞれ点滅させるような制御を行ってもよい。そして、このような光源制御部５５の制御によれば、非常モード時の照明装置２１の動作に応じて消費される電力量を低下させることができるため、例えば、火災の発生に伴って商用電源ＣＰＳからの電力供給が停止した場合であっても、バッテリ５４から供給される電力による照明装置２１の稼働時間を極力延ばすことができる。
【００５４】
ここで、以上に述べたようなエリアコントローラ２及び光源制御部５５の動作によれば、例えば、図７に示すような、４つの通路Ｖ１〜Ｖ４と、通路Ｖ１〜Ｖ４に直交する２つの通路Ｈ１及びＨ２と、通路Ｖ４から外部へ通じる非常口Ｅ１と、通路Ｈ２から外部へ通じる非常口Ｅ２と、を有するフロアにおいて火災が発生した場合には、各照明装置２１の照明状態が図８に示すような状態に制御される。図７は、実施形態に係る照明装置が設置されたフロアの一例を示す模式図である。図８は、図７に示すフロアにおいて火災が発生した場合における各照明装置の照明状態の一例を示す模式図である。
【００５５】
具体的には、図７のようなフロアにおいて火災が発生した場合には、エリアコントローラ２及び光源制御部５５の動作に応じ、例えば、図８に示すように、火災発生源に最も近い位置に設置されている煙感知器３３の近傍の各照明装置２１からＷ光及びＲ光が発せられ、火災発生源に隣接するエリアに設置された各煙感知器３３の近傍の各照明装置２１からＷ光及びＧ光が発せられ、火災発生源から離れたエリアに設置された各煙感知器３３の近傍の各照明装置２１からＷ光及びＢ光が発せられる。そのため、本実施形態によれば、図７のようなフロアにおいて火災が発生した場合に、例えば、火災発生源に比較的近い通路Ｖ３または通路Ｖ４を経由して非常口Ｅ１に至る避難路が危険であること、及び、火災発生源から比較的離れた通路Ｖ１または通路Ｖ２を経由して非常口Ｅ２に至る避難路が安全であることを被災者に対して直感的に知らせることができる。
【００５６】
ところで、例えば、非常灯３１及び誘導灯３２の設置数が法令で定められる下限数または当該下限数に近い数であるような建造物においては、非常灯３１及び誘導灯３２の設置間隔が広くなる傾向にあるため、当該建造物内で火災が発生した際に、被災者が非常灯３１及び／または誘導灯３２を目視で確認しながら避難することが非常に困難な状況が発生し得る。
【００５７】
これに対し、本実施形態によれば、非常灯３１及び誘導灯３２の設置間隔よりも狭い設置間隔で建造物内に設置される（または非常灯３１及び誘導灯３２よりも設置数の多い）照明装置２１の照明状態を、各煙感知器３３において検知された煙量に応じて変化させることにより、当該建造物内で火災が発生した際の安全な避難路を被災者に対して確実に知らせることができる。すなわち、本実施形態によれば、建造物内で災害が発生した際の安全な避難路を被災者に対して確実に知らせることができる。
【００５８】
なお、本実施形態によれば、例えば、建造物内で火災が発生した際に、操作指示部１１を操作するユーザが、防災システム３から出力される煙検知情報と、記憶部１２に格納されているマップ情報と、に基づき、各エリアコントローラ２または各照明装置２１を手動で制御するようにしてもよい。
【００５９】
また、本実施形態によれば、例えば、１つ以上の熱感知器が通信線ＣＤを介して防災システム３に接続されている場合に、各熱感知器において検知された熱量を熱感知器毎に特定可能な情報である熱検知情報が防災システム３から出力され、当該熱検知情報に基づいて火災が発生しているか否かを判定した判定結果に応じたシステム制御信号が制御部１３により生成され、当該生成されたシステム制御信号が各エリアコントローラ２へ出力されるようにしてもよい。
【００６０】
また、本実施形態によれば、例えば、１つ以上のカメラが通信線ＣＤを介して防災システム３に接続されている場合に、各カメラにおいて撮影された画像が防災システム３から出力され、当該画像に基づいて火災が発生しているか否かを判定した判定結果に応じたシステム制御信号が制御部１３により生成され、当該生成されたシステム制御信号が各エリアコントローラ２へ出力されるようにしてもよい。
【００６１】
また、本実施形態によれば、例えば、記憶部１２に格納されているものと同じマップ情報が防災システム３において共有されている場合に、制御部１３により生成されるシステム制御信号と同様の制御信号が防災システム３において生成されるとともに、当該生成された制御信号がコンソール１を介さずに各エリアコントローラ２へ直接出力されるようにしてもよい。
【００６２】
また、本実施形態によれば、例えば、記憶部１２に格納されているものと同じマップ情報が防災システム３において共有されている場合に、エリアコントローラ２により生成される照明制御信号と同様の制御信号が防災システム３において生成されるとともに、当該生成された制御信号がコンソール１及びエリアコントローラ２を介さずに各照明装置２１へ直接出力されるようにしてもよい。
【００６３】
また、本実施形態によれば、例えば、煙感知器３３が照明装置２１に設けられ、かつ、煙感知器３３からの煙検知信号が信号入力部５３に入力されるような場合に、光源制御部５５が当該煙検知信号に基づいて各発光素子の発光状態を制御するようにしてもよい。
【００６４】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６５】
１  コンソール
２  エリアコントローラ
３  防災システム
１２  記憶部
１３  制御部
２１  照明装置
３２  誘導灯
３３  煙感知器
４１，４２  発光モジュール
５３  信号入力部
５４  バッテリ
５５  制御部
１０１  照明制御システム
【図１】
0006648589.tif 000002
【図２】
0006648589.tif 000003
【図３】
0006648589.tif 000004
【図４】
0006648589.tif 000005
【図５】
0006648589.tif 000006
【図６】
0006648589.tif 000007
【図７】
0006648589.tif 000008
【図８】
0006648589.tif 000009